(57)【要約】【課題】殺虫殺菌剤の残量の確認が容易であり、長期に亘って殺虫殺菌効果を維持でき、殺虫殺菌剤を無駄なく使い切ることができる殺虫殺菌器具を提供する。【解決手段】殺虫殺菌器具１０Ａは、水接触型固形殺虫殺菌剤２０が収容され、側壁には透水孔１２が多数形成されている筒状の殺虫殺菌剤用容器１１を備え、バケット１内に該殺虫殺菌剤用容器１１が、該殺虫殺菌剤用容器１１の筒方向と鉛直方向とが略一致するように配置された状態で、該水接触型固形殺虫殺菌剤２０は、該透水孔１２を介して該バケット１内の水と接触しており、さらに該バケット１内に該殺虫殺菌剤用容器１１が配置された初期状態において該殺虫殺菌剤用容器１１内の該水接触型固形殺虫殺菌剤２０の上端部は該バケット１内の水位より上方に位置している。【選択図】図１
2013023951.tif 000002
【特許請求の範囲】
【請求項１】
水中の殺虫殺菌に用いられる水溶性の水接触型固形殺虫殺菌剤を、水が滞留する水滞留部内に保持する殺虫殺菌器具であって、
該水接触型固形殺虫殺菌剤が収容され、側壁に透水部が形成されている筒状の殺虫殺菌剤用容器を備え、
該水滞留部内に該殺虫殺菌剤用容器が、該殺虫殺菌剤用容器の筒方向と鉛直方向とが略一致するように配設された状態で、該水接触型固形殺虫殺菌剤は、該透水部を介して該水滞留部内の水と接触しており、
さらに該水滞留部内に該殺虫殺菌剤用容器が配設された初期状態において、該殺虫殺菌剤用容器内の該水接触型固形殺虫殺菌剤の上端部は該水滞留部内の水位より上方に位置している
ことを特徴とする殺虫殺菌器具。
【請求項２】
前記殺虫殺菌剤用容器は、有底筒状であり、該殺虫殺菌剤用容器には、フロート部が形成されており、
該殺虫殺菌剤用容器が、該フロート部の浮力で前記水滞留部内の水に浮かべられている
請求項１に記載の殺虫殺菌器具。
【請求項３】
前記水滞留部内の水に浮かべられた前記殺虫殺菌剤用容器を、該水滞留部内の水位に合わせて鉛直方向に移動自在とし、かつ水平方向の移動範囲を規制するガイド部を備えている
請求項２に記載の殺虫殺菌器具。
【請求項４】
前記水接触型固形殺虫殺菌剤は多数の粒の集合体であって、
前記水滞留部内に前記殺虫殺菌剤用容器が配設された初期状態において、該集合体の上端部が前記水滞留部内の水位より上方に位置している
請求項１乃至請求項３のいずれか１項に記載の殺虫殺菌器具。
【発明の詳細な説明】
【技術分野】
【０００１】
本発明は、水中の殺虫殺菌をする水接触型固形殺虫殺菌剤を、雨水ますや貯留槽などの水が滞留する水滞留部内に保持して虫や菌の発生を防止する殺虫殺菌器具に関するものである。
【背景技術】
【０００２】
雨水ますや貯留槽などの水が滞留する水滞留部において、ボウフラや蚊の発生を防止しようとする構成は、いくつか提案されている（例えば、特許文献１，２参照。）。
【０００３】
特許文献１には、蚊の発生を防止した防蚊雨水ますが開示されている。かかる構成は、雨水ますの水が滞留する所要箇所に銅部材または銅合金部材が固定される。また、特許文献２には、雨水ます内で発生する蚊などの虫を駆除できる殺虫器具が開示されている。かかる構成の殺虫器具は、蒸散性殺虫成分を含有する樹脂製の本体部を備え、滞留水の水面直上に高濃度の殺虫成分雰囲気を形成して水面近傍にいる虫を駆除するものである。
【先行技術文献】
【特許文献】
【０００４】
【特許文献１】特開２０００−１５４５８９号公報
【特許文献２】特開２００７−１００４６４号公報
【発明の概要】
【発明が解決しようとする課題】
【０００５】
しかしながら、特許文献１に開示された構成は、銅部材等の上に砂泥等が堆積あるいは定着してしまい、殺虫効果が得られなくなるという問題がある。また、銅部材等は雨水ますに対して固定されているため、長期間水に浸る部位に錆が生じやすい。錆び付いた部位は殺虫効果がほとんど得られないため部材交換を要するが、該銅部材等にまだ錆が発生していない部位が残っていても、全体として部材交換しなければならず、無駄が生じやすい。
【０００６】
また、特許文献２に開示された構成は、殺虫成分が蒸散性であるため、仮に殺虫成分がすべて蒸散してしまった場合にも、該殺虫成分が本体部に残留しているか否かが当該殺虫器具の外観から判別できないという問題があった。このため、作業者にとっては該殺虫器具の交換時期を特定することが極めて難しく、殺虫効果が失われたまま雨水ます内に設置されていたり、殺虫効果が残っているにもかかわらず廃棄されてしまったりするなどの無駄が生じやすかった。
【０００７】
そこで、本発明は、水が滞留する水滞留部において、長期に亘って殺虫殺菌効果を維持でき、殺虫殺菌剤を無駄なく使い切ることができる殺虫殺菌器具を提供することを目的とする。
【課題を解決するための手段】
【０００８】
本発明は、水中の殺虫殺菌に用いられる水溶性の水接触型固形殺虫殺菌剤を、水が滞留する水滞留部内に保持する殺虫殺菌器具であって、該水接触型固形殺虫殺菌剤が収容され、側壁に透水部が形成されている筒状の殺虫殺菌剤用容器を備え、該水滞留部内に該殺虫殺菌剤用容器が、該殺虫殺菌剤用容器の筒方向と鉛直方向とが略一致するように配設された状態で、該水接触型固形殺虫殺菌剤は、該透水部を介して該水滞留部内の水と接触しており、さらに該水滞留部内に該殺虫殺菌剤用容器が配設された初期状態において、該殺虫殺菌剤用容器内の該水接触型固形殺虫殺菌剤の上端部は該水滞留部内の水位より上方に位置していることを特徴とする殺虫殺菌器具である。
【０００９】
かかる構成にあって、前記水接触型固形殺虫殺菌剤は、水に接触することでその水中に対して殺虫殺菌効果を発揮するものであり、略全溶するまで殺虫殺菌効果が発揮される水溶性である。そして、前記殺虫殺菌剤用容器内の水接触型固形殺虫殺菌剤は、少なくとも水位より下方にある部分から水に溶解する。そして、これに対応して該殺虫殺菌剤用容器内の水接触型固形殺虫殺菌剤の上部は該水接触型固形殺虫殺菌剤の下部の溶解によって生じる隙間を埋めるように順次上から下降する。このため、本発明の殺虫殺菌器具にあっては、水接触型固形殺虫殺菌剤が適量だけ順次消費されることになり、殺虫殺菌効果が持続しやすく、また該水接触型固形殺虫殺菌剤の全量を無駄なく使い切ることが可能となる。
【００１０】
また、前記殺虫殺菌剤用容器は、有底筒状であり、該殺虫殺菌剤用容器には、フロート部が形成されており、該殺虫殺菌剤用容器が、該フロート部の浮力で前記水滞留部内の水に浮かべられている構成としてもよい。
【００１１】
かかる構成にあって、前記水接触型固形殺虫殺菌剤は水滞留部内の水に浮かべられた状態で水に接触しており、該水滞留部内の水位の変動に関わらず一定深さで水に浸ることになる。このため、水と接触する水接触型固形殺虫殺菌剤の量が一定となり、殺虫殺菌効果が安定して持続することとなる。
【００１２】
また、前記水滞留部内の水に浮かべられた前記殺虫殺菌剤用容器を、該水滞留部内の水位に合わせて鉛直方向に移動自在とし、かつ水平方向の移動範囲を規制するガイド部を備えている構成としてもよい。
【００１３】
このように、前記ガイド部が前記殺虫殺菌剤用容器の水平方向の移動範囲を規制して該殺虫殺菌剤用容器を前記水滞留部に適切に留めおくため、該水滞留部の外に該殺虫殺菌剤用容器が誤って流れ出てしまうことが防止され、紛失のおそれがない。また、該ガイド部材は、水位変動に伴う該殺虫殺菌剤用容器の上下動は許容しているため、該水滞留部内の水位に応じて該殺虫殺菌剤用容器を適切に浮かべておくことができる。
【００１４】
また、前記水接触型固形殺虫殺菌剤は多数の粒の集合体であって、前記水滞留部内に前記殺虫殺菌剤用容器が配設された初期状態において、該集合体の上端部が前記水滞留部内の水位より上方に位置していることが好ましい。
【００１５】
かかる構成にあっては、前記水接触型固形殺虫殺菌剤が水に溶解しやすく、かつ前記殺虫殺菌剤用容器内において該水接触型固形殺虫殺菌剤の下部の溶解によって生じる下方の隙間を埋めるように水接触型固形殺虫殺菌剤の上部が円滑に下降するため、常時適切な量の該水接触型固形殺虫殺菌剤が水に接触することとなると共に、該水接触型固形殺虫殺菌剤を無駄なく使い切ることができる。
【発明の効果】
【００１６】
本発明の殺虫殺菌器具は、長期に亘って殺虫殺菌効果を維持でき、殺虫殺菌剤を無駄なく使い切ることができる効果がある。
【図面の簡単な説明】
【００１７】
【図１】実施例１にかかる殺虫殺菌器具を示しており、（ａ）は縦断面図、（ｂ）は、これを分解して示す拡大平面図。
【図２】実施例２にかかる殺虫殺菌器具を示す縦断面図。
【図３】実施例３にかかる殺虫殺菌器具を示す縦断面図。
【発明を実施するための形態】
【００１８】
以下、本発明の殺虫殺菌器具を具体化した実施例を詳細に説明する。なお、本発明は、下記に示す実施例に限定されることはなく、適宜設計変更が可能である。
【００１９】
（実施例１）
図１ａに示すように、殺虫殺菌器具１０Ａは、雨水ます（図示省略）等の内部に配置されるバケット１内に設置されている。該バケット１は、砂泥等が堆積、あるいは雨水が滞留するバケット本体部２と、該バケット本体部２の上縁部に取り付けられた略コ字状の把持部３とで構成されている。
【００２０】
また、前記殺虫殺菌器具１０Ａは、殺虫殺菌剤用容器１１を備えている。該殺虫殺菌剤用容器１１は、バケット１内に配設された透明な樹脂材料からなる有底の円筒部材で構成され、水溶性の水接触型固形殺虫殺菌剤２０が充填されている。また、該殺虫殺菌剤用容器１１の側壁には、透水部としての透水孔１２が多数形成されている。
【００２１】
ここで、前記水接触型固形殺虫殺菌剤２０は、水中の殺虫殺菌に用いられる殺虫殺菌剤であって、水溶性の固形材料からなり、水に接触して該水に溶解することで殺虫殺菌効果を発揮する。該水接触型固形殺虫殺菌剤２０としては、ボウフラや蚊等の発生を防止する公知技術の殺虫殺菌剤が好適に用いられるが、既に市販されている多数の粒の集合体である銀系無機抗菌剤（商品名：ノバロン  東亜合成株式会社製）が特に望ましい。
【００２２】
そして、前記殺虫殺菌剤用容器１１が、水が滞留する水滞留部としての前記バケット１内に配設された状態で、該殺虫殺菌剤用容器１１の筒方向と鉛直方向とが一致している。なお、図１ｂに示すように、該バケット１のバケット本体部２と、該殺虫殺菌剤用容器１１とは互いに着脱自在に固定されており、具体的には、該バケット本体部２の内周面に鉛直方向に沿って形成された係合凹部２Ａと、該殺虫殺菌剤用容器１１の外周面に形成された係合凸部１１Ａとが係合する着脱機構となっている。
【００２３】
そして、前記殺虫殺菌剤用容器１１内の該水接触型固形殺虫殺菌剤２０が、該殺虫殺菌剤用容器１１の透水孔１２を介してバケット１内の水に接触している。
【００２４】
ここで、バケット１内に殺虫殺菌剤用容器１１が配置された初期状態においては、図１ａに示すように、該殺虫殺菌剤用容器１１内の水接触型固形殺虫殺菌剤２０の上端部が該バケット１内の水位より上方に位置し、該水接触型固形殺虫殺菌剤２０の水面下に配された下部から順に溶解し、これに対応して該水接触型固形殺虫殺菌剤２０の上部が該水接触型固形殺虫殺菌剤の下部の溶解によって生じる下方の隙間を埋めるように順次下降する。このため、水接触型固形殺虫殺菌剤２０は適量だけ順次消費されることになり、殺虫殺菌効果が持続しやすい。また、上記した多数の粒の集合体である銀系無機抗菌剤からなる水接触型固形殺虫殺菌剤２０は、全部が水に対して易溶であるため、水接触型固形殺虫殺菌剤２０の全量を無駄なく使い切ることができる。
また、図１ａに示すように、バケット１内に殺虫殺菌剤用容器１１が配置された初期状態において、水接触型固形殺虫殺菌剤２０の上端は、水が滞留する水滞留部としての前記バケット１内の満水水位よりも上方に位置することが好ましい。かかる構成にあっては、バケット１内の水位の変動にかかわらず、バケット１内に殺虫殺菌剤用容器１１が配置された初期状態において、水接触型固形殺虫殺菌剤２０の上端が常にバケット１内の水位より上方に位置する。
【００２５】
さらに、前記殺虫殺菌器具１０Ａは、水接触型固形殺虫殺菌剤２０の残量の確認作業が容易である。例えば、図１ａに示すように、作業者が点検のためバケット１内を確認した際に、透明な前記殺虫殺菌剤用容器１１を介して、水接触型固形殺虫殺菌剤２０の上端部が該バケット１内の水位より上方にあることが視認できれば該水接触型固形殺虫殺菌剤２０が十分に残留していることがわかる。これに対し、該上端部が水面下に没して視認できない状態、もしくは該殺虫殺菌剤用容器１１にあらかじめ設けられた基準線より下にあって規定量を満たさない状態であれば補充を要する時期であることがわかり、殺虫殺菌剤用容器１１をバケット本体部２から取り外し、該殺虫殺菌剤用容器１１の上端から該水接触型固形殺虫殺菌剤２０を適切に補充することになる。なお、水接触型固形殺虫殺菌剤２０の残量を容易に視認可能とするために、上記のように殺虫殺菌剤用容器１１を透明材料で構成してもよいし、あるいは該殺虫殺菌剤用容器１１の上端に設けた開口部により確認可能とする構成としてもよい。
【００２６】
なお、バケット１内に配設された該殺虫殺菌剤用容器１１は、厳密にその筒方向と鉛直方向とが一致している必要はなく、略一致するように配設されていればよい。
【００２７】
（実施例２）
以下、実施例２にかかる殺虫殺菌器具１０Ｂについて説明するが、実施例１と共通する部分については説明を簡略又は省略し、また図中では同じ符号を付すこととする。
【００２８】
図２に示すように、該殺虫殺菌器具１０Ｂは、透明樹脂材料を用いた有底円筒部材からなる殺虫殺菌剤用容器１１の外周に、フロート部１５が形成されている。また、該殺虫殺菌剤用容器１１の上端開口にはキャップ１３が装着され、該殺虫殺菌剤用容器１１の下部の側壁には、透水部としての透水孔１２が多数形成されている。なお、該殺虫殺菌剤用容器１１の底部は、水平である必要はない。また、該底部に透水孔１２が形成されていてもよい。
【００２９】
さらに詳述すると、該殺虫殺菌剤用容器１１の外周には、フランジ形状の係合部１４が形成され、該係合部１４の周囲にフロート部１５が係着している。該フロート部１５は、発泡プラスチックや発泡ゴム等の該殺虫殺菌剤用容器１１が水に浮くのに充分な浮力を有する材料からなる成形体で構成されている。
【００３０】
そして、該殺虫殺菌剤用容器１１は、例えばバケット（図示省略）内において前記フロート部１５の浮力で水に浮かべられており、該殺虫殺菌剤用容器１１内の水接触型固形殺虫殺菌剤２０が前記透水孔１２を介して該バケット内の水と接触している。
【００３１】
かかる構成とすると、バケット内の水位の変動に関わらず一定深さで該殺虫殺菌剤用容器１１が水に浸ることになるため、水と接触する水接触型固形殺虫殺菌剤２０の量が一定となり、殺虫殺菌効果が安定して持続することとなる。また、該殺虫殺菌剤用容器１１が透明であるため、実施例１と同じように該水接触型固形殺虫殺菌剤２０の補充・交換時期を適切に認識することができる。
【００３２】
（実施例３）
以下、実施例３にかかる殺虫殺菌器具１０Ｃについて説明するが、実施例１，２と共通する部分については説明を簡略又は省略し、また図中では同じ符号を付すこととする。
【００３３】
図３に示すように、殺虫殺菌器具１０Ｃは、雨水ます３０内に備え付けられたガイド部としてのガイド筒部３３を備え、該ガイド筒部３３内に、フロート部１５が形成された殺虫殺菌剤用容器１１が配置されている。
【００３４】
前記ガイド筒部３３は、雨水ます３０内に鉛直方向に沿って固定された円筒部材で構成され、該ガイド筒部３３の側壁には透水部としての透水孔３４が多数形成されている。そして、該透水孔３４を介して該雨水ます３０内の水が該ガイド筒部３３内に流入可能となっている。また、該ガイド筒部３３の上端開口は、蓋部３５によって遮蔽されている。なお、該ガイド筒部３３の透水孔３４の寸法形状は特に限定されないが、該ガイド筒部３３内への水の流入が円滑に行われ、かつ雨水ます３０内のゴミ等が該ガイド筒部３３内に流入しない程度の寸法に設定されていることが望ましい。また、該ガイド筒部３３は、殺虫殺菌剤用容器１１を該雨水ます３０内の水位に合わせて鉛直方向に移動自在とし、かつ水平方向の移動範囲を規制する役割を果たしている。該ガイド筒部３３の内径は、該殺虫殺菌剤用容器１１の保守管理や、該ガイド筒部３３内の砂泥等の清掃作業等が容易に行える程度の寸法に設定されている。
【００３５】
上記構成にあっては、前記殺虫殺菌剤用容器１１における水接触型固形殺虫殺菌剤２０が、雨水ます３０内の水位の高さに関わらず一定深さだけ水に浸ることになるため、水と接触する水接触型固形殺虫殺菌剤２０の量が一定となり、殺虫殺菌効果が安定して持続することとなる。また、前記ガイド筒部３３によって該殺虫殺菌剤用容器１１の水平方向の移動範囲が規制されているため、該雨水ます３０に形成された管接続口（特に流出管接続口）３１を介して該殺虫殺菌剤用容器１１が雨水ます３０の外へ流れ出てしまうおそれがない。なお、ガイド筒部３３は、厳密に鉛直方向に沿って配設される必要は無く、略鉛直方向に沿って配設されていればよい。また、本発明のガイド部としては該ガイド筒部３３の形態に限定されず、該殺虫殺菌剤用容器１１を水位に合わせて鉛直方向に移動自在とし、かつ水平方向の移動範囲を規制するものであれば他の形態であっても勿論よい。
【００３６】
なお、本実施例１〜３においては、水滞留部としてバケット１と雨水ます３０とを例に挙げて説明したが、水滞留部としては、これらの他、貯留槽など水が滞留する可能性のあるあらゆる場所が適用可能である。また、水接触型固形殺虫殺菌剤２０としては、銀系無機抗菌剤の他、水中における抗菌効果が高いことが知られている銅系のものが使用されてもよい。また、水接触型固形殺虫殺菌剤２０の形状は、水に溶解しやすく、しかも殺虫殺菌剤用容器１１内において流動性がよいため粒状が好ましいが、これに限定されることはなく、他の形状であってもよい。また、該殺虫殺菌剤用容器１１の形状やガイド筒部３３の形状は、完全な円筒形状である必要は無く、一部が切欠された形状や角筒形状であっても勿論よい。また、透水部としての殺虫殺菌剤用容器１１の透水孔１２、あるいはガイド筒部３３の透水孔３４は、孔に限定されず、スリットであってもよいし、複数に限定されず、単数であってもよい。
【符号の説明】
【００３７】
１              バケット（水滞留部）
１０Ａ〜１０Ｃ  殺虫殺菌器具
１１            殺虫殺菌剤用容器
１２            透水孔（透水部）
１５            フロート部
２０            水接触型固形殺虫殺菌剤
３０            雨水ます（水滞留部）
３３            ガイド筒部（ガイド部）
【図１】
2013023951.tif 000003
【図２】
2013023951.tif 000004
【図３】
2013023951.tif 000005